(57)【要約】      （修正有）【課題】細片を医療用器具から除去するための、効率的かつ安価なデバイス、システムおよび方法を提供すること。【解決手段】細片収集システム１００であって、細長本体１１０であって、第一の端部、第二の端部、および該細長本体を通って延びる穴１２７を有し、該細長本体の第一の端部は、密閉状態で閉じられ、そして該細長本体の第二の端部は開口部１１３を有する、細長本体；該細長本体に固定されるキャップ１２０であって、該キャップを通って延びる穴を有する、キャップ；ならびに該細長本体に流体を導入するためのポートであって、該キャップに取り付けられる、ポート、を備える、細片収集システム。【選択図】図４
2008253755.tif 000002
【特許請求の範囲】
【請求項１】
細片収集システムであって、
細長本体であって、第一の端部、第二の端部、および該細長本体を通って延びる穴を有し、該細長本体の第一の端部は、密閉状態で閉じられ、そして該細長本体の第二の端部は開口部を有する、細長本体；
該細長本体に固定されるキャップであって、該キャップを通って延びる穴を有する、キャップ；ならびに
該細長本体に流体を導入するためのポートであって、該キャップに取り付けられる、ポート、
を備える、細片収集システム。
【請求項２】
前記ポートが、流体サンプルを前記細長本体から取り出すために配置される、請求項１に記載の細片収集システム。
【請求項３】
流体取り出しポートをさらに備える、請求項１に記載の細片収集システム。
【請求項４】
前記キャップに取り付けられるシールをさらに備える、請求項１に記載の細片収集システム。
【請求項５】
前記シールがガスケットである、請求項４に記載の細片収集システム。
【請求項６】
前記シールが不透過性材料から構成されている、請求項４に記載の細片収集システム。
【請求項７】
前記ポートが開位置と閉位置との間で相対的に移動可能である、請求項１に記載の細片収集システム。
【請求項８】
前記キャップの穴が外科手術用道具を受容するための寸法にされている、請求項１に記載の細片収集システム。
【請求項９】
前記細長本体が不透過性材料から作製されている、請求項１に記載の細片収集システム。
【請求項１０】
細片収集システムであって、
第一の端部および第二の端部を有する細長本体であって、該細長本体は、外科手術用道具を受容するための、該細長本体の一部を通って延びる穴を備え、該細長本体の第二の端部は開口部を有する、細長本体；
該細長本体に取り外し可能に固定されるキャップであって、該キャップを通って延びる穴を有する、キャップ；ならびに
該細長本体に流体を導入するためのポートであって、該キャップに取り付けられる、ポート、
を備える、細片収集システム。
【請求項１１】
前記ポートが、流体サンプルを前記細長本体から取り出すために配置されている、請求項１０に記載の細片収集システム。
【請求項１２】
流体取り出しポートをさらに備える、請求項１０に記載の細片収集システム。
【請求項１３】
前記キャップに取り付けられるシールをさらに備える、請求項１０に記載の細片収集システム。
【請求項１４】
前記シールがガスケットである、請求項１３に記載の細片収集システム。
【請求項１５】
前記シールが不透過性材料から構成されている、請求項１３に記載の細片収集システム。
【請求項１６】
前記ポートが開位置と閉位置との間で相対的に移動可能である、請求項１０に記載の細片収集システム。
【請求項１７】
前記キャップの穴が外科手術用道具を受容するための寸法にされている、請求項１０に記載の細片収集システム。
【請求項１８】
前記細長本体が不透過性材料から作製されている、請求項１０に記載の細片収集システム。
【請求項１９】
外科手術用道具を清浄化する方法であって、
細片収集システムを提供する工程であって、該細片収集システムは、
細長本体であって、第一の端部、第二の端部、および該細長本体を通って延びる穴を有し、該細長本体の第一の端部は、密封状態で閉じられており、そして該細長本体の第二の端部は、開口部を有する、細長本体；
該細長本体に固定されるキャップであって、該キャップを通って延びる穴を有する、キャップ；および
該細長本体に流体を導入するためのポートであって、該キャップに取り付けられる、ポート、
を備える、工程；
該細片収集システムに液体を導入する工程；
該細片収集システムに外科手術用道具を挿入する工程；ならびに
該細片収集システム内で渦を発生させて、細片を該外科手術用道具から除去する工程、
を包含する、方法。
【請求項２０】
流体のサンプルを前記細長本体から取り出す工程をさらに包含する、請求項１９に記載の方法。
【請求項２１】
前記外科手術用道具を前記細片収集システムから取り出す工程をさらに包含する、請求項１９に記載の方法。
【請求項２２】
前記液体を導入する工程が、滅菌流体を導入する工程を包含する、請求項１９に記載の方法。
【請求項２３】
前記渦を発生させる工程が、
外部の気体供給源を提供する工程；および
該外部の気体供給源から前記細長本体へと気体を送達する工程、
を包含する、請求項１９に記載の方法。
【請求項２４】
前記細長本体に気体を供給する工程が、該細長本体内で混濁した流れを生じさせる、請求項２３に記載の方法。
【請求項２５】
前記外部の気体供給源から前記細長本体に気体を送達する工程が、該外部の気体供給源から該細長本体内に空気を送達する工程を包含する、請求項２３に記載の方法。
【請求項２６】
前記細長本体を攪拌する工程をさらに包含する、請求項１９に記載の方法。
【発明の詳細な説明】
【技術分野】
【０００１】
本開示は、外科手術用器具のための収集システムに関する。より特定すると、本開示は、ステープルカートリッジの細片収集システムに関する。
【背景技術】
【０００２】
慣用的な外科手術手順の間、外科手術用器具には、有機物の細片および無機物の細片が蓄積し得る。これらの細片は、健常な組織、疾患組織、または病原体もしくは他の危険な物質を含む組織細片を含み得る。従って、外科医、看護士、および他の健康管理専門家は、汚染を回避するために必要な対策を採らなければならない。医療用器具またはその一部が使い捨てである場合でさえも、これらの専門家は、感染を防止するために、この医療用器具を取り扱う前にこの医療用器具から細片を除去しなければならない。組織細片との直接の接触、および場合によっては間接的な接触は、疾病を引き起こし得る。従って、健康管理専門家は、医療用器具を処分または再使用する前に、この医療用器具から細片を外さなければならない。
【０００３】
汚染を防止しようと努力して、外科手術用器具および歯科用器具から細片を除去するための多くのデバイス、システムおよび方法が、何年にもわたって開発されている。例えば、手でこすることは、細片除去のために使用される方法のうちの１つである。この方法は、摩擦を使用して、外科手術用器具に蓄積した固体を外して除去することを包含する。医療用設備または歯科用設備に摩擦を適用するために、技術者は、代表的に、携帯型の剛毛ブラシ（例えば、剛毛爪ブラシまたは歯ブラシ）を使用する。理論上は、携帯型のブラシを用いて手で絶えず繰り返しこすることにより、有機物の細片および無機物の細片が外科手術用器具から除去される。しかし、手でこすることは、必ずしも感染を制御せず、予防もしない。なぜなら、汚染された表面との直接の接触をもたらし得るからである。
【０００４】
より最近は、超音波清浄化が、医療用器具から細片を除去するために使用されている。この方法は、汚染された表面に人員が直接接触する可能性を減少させる。この方法において、器具がチャンバに入れられ、そして超音波を伝える適切な流体に浸漬される。次いで、超音波発生変換機が電子的に作動されて、この流体中に超音波を生じさせる。その結果、微視的なキャビテーション気泡の発生および崩壊により、エネルギーが放出される。これらの気泡が、汚染物質および塵埃を破壊して器具の表面から剥がす。しかし、超音波清浄化は、機械設備、高価な保守管理、およびその実施時間のかなりの消費を必要とする。
【０００５】
本明細書中で上に記載された細片除去方法は、それらの欠点を有する。手でこすることは、感染を効果的に予防せず、そして超音波清浄化は、非常に高価であり得る。
【発明の開示】
【発明が解決しようとする課題】
【０００６】
上記のことを考慮して、細片を医療用器具から除去するための、効率的かつ安価なデバイス、システムおよび方法を開発することが望ましい。
【課題を解決するための手段】
【０００７】
上記課題を解決するために、本発明は、以下を提供する：
（項目１）
細片収集システムであって、
細長本体であって、第一の端部、第二の端部、および該細長本体を通って延びる穴を有し、該細長本体の第一の端部は、密閉状態で閉じられ、そして該細長本体の第二の端部は開口部を有する、細長本体；
該細長本体に固定されるキャップであって、該キャップを通って延びる穴を有する、キャップ；ならびに
該細長本体に流体を導入するためのポートであって、該キャップに取り付けられる、ポート、
を備える、細片収集システム。
【０００８】
（項目２）
上記ポートが、流体サンプルを上記細長本体から取り出すために配置される、項目１に記載の細片収集システム。
【０００９】
（項目３）
流体取り出しポートをさらに備える、項目１に記載の細片収集システム。
【００１０】
（項目４）
上記キャップに取り付けられるシールをさらに備える、項目１に記載の細片収集システム。
【００１１】
（項目５）
上記シールがガスケットである、項目４に記載の細片収集システム。
【００１２】
（項目６）
上記シールが不透過性材料から構成されている、項目４に記載の細片収集システム。
【００１３】
（項目７）
上記ポートが開位置と閉位置との間で相対的に移動可能である、項目１に記載の細片収集システム。
【００１４】
（項目８）
上記キャップの穴が外科手術用道具を受容するための寸法にされている、項目１に記載の細片収集システム。
【００１５】
（項目９）
上記細長本体が不透過性材料から作製されている、項目１に記載の細片収集システム。
【００１６】
（項目１０）
細片収集システムであって、
第一の端部および第二の端部を有する細長本体であって、該細長本体は、外科手術用道具を受容するための、該細長本体の一部を通って延びる穴を備え、該細長本体の第二の端部は開口部を有する、細長本体；
該細長本体に取り外し可能に固定されるキャップであって、該キャップを通って延びる穴を有する、キャップ；ならびに
該細長本体に流体を導入するためのポートであって、該キャップに取り付けられる、ポート、
を備える、細片収集システム。
【００１７】
（項目１１）
上記ポートが、流体サンプルを上記細長本体から取り出すために配置されている、項目１０に記載の細片収集システム。
【００１８】
（項目１２）
流体取り出しポートをさらに備える、項目１０に記載の細片収集システム。
【００１９】
（項目１３）
上記キャップに取り付けられるシールをさらに備える、項目１０に記載の細片収集システム。
【００２０】
（項目１４）
上記シールがガスケットである、項目１３に記載の細片収集システム。
【００２１】
（項目１５）
上記シールが不透過性材料から構成されている、項目１３に記載の細片収集システム。
【００２２】
（項目１６）
上記ポートが開位置と閉位置との間で相対的に移動可能である、項目１０に記載の細片収集システム。
【００２３】
（項目１７）
上記キャップの穴が外科手術用道具を受容するための寸法にされている、項目１０に記載の細片収集システム。
【００２４】
（項目１８）
上記細長本体が不透過性材料から作製されている、項目１０に記載の細片収集システム。
【００２５】
（項目１９）
外科手術用道具を清浄化する方法であって、
細片収集システムを提供する工程であって、該細片収集システムは、
細長本体であって、第一の端部、第二の端部、および該細長本体を通って延びる穴を有し、該細長本体の第一の端部は、密封状態で閉じられており、そして該細長本体の第二の端部は、開口部を有する、細長本体；
該細長本体に固定されるキャップであって、該キャップを通って延びる穴を有する、キャップ；および
該細長本体に流体を導入するためのポートであって、該キャップに取り付けられる、ポート、
を備える、工程；
該細片収集システムに液体を導入する工程；
該細片収集システムに外科手術用道具を挿入する工程；ならびに
該細片収集システム内で渦を発生させて、細片を該外科手術用道具から除去する工程、
を包含する、方法。
【００２６】
（項目２０）
流体のサンプルを上記細長本体から取り出す工程をさらに包含する、項目１９に記載の方法。
【００２７】
（項目２１）
上記外科手術用道具を上記細片収集システムから取り出す工程をさらに包含する、項目１９に記載の方法。
【００２８】
（項目２２）
上記液体を導入する工程が、滅菌流体を導入する工程を包含する、項目１９に記載の方法。
【００２９】
（項目２３）
上記渦を発生させる工程が、
外部の気体供給源を提供する工程；および
該外部の気体供給源から上記細長本体へと気体を送達する工程、
を包含する、項目１９に記載の方法。
【００３０】
（項目２４）
上記細長本体に気体を供給する工程が、該細長本体内で混濁した流れを生じさせる、項目２３に記載の方法。
【００３１】
（項目２５）
上記外部の気体供給源から上記細長本体に気体を送達する工程が、該外部の気体供給源から該細長本体内に空気を送達する工程を包含する、項目２３に記載の方法。
【００３２】
（項目２６）
上記細長本体を攪拌する工程をさらに包含する、項目１９に記載の方法。
【００３３】
本開示の細片収集システムは、細長本体を備え、この細長本体は、第一の端部と、第二の端部と、この細長本体を通って延びる穴とを備える。この細長本体の第一の端部は密封状態で閉じられ、一方で、この第二の端部は開口部を有する。この細長本体は、不透過性材料から作製される。この細長本体に固定されるキャップは、このキャップを通って延びる穴を有する。このキャップに取り付けられるポートは、この細長本体に流体を導入するように設計される。液密シール（例えば、ガスケット）が、このキャップに取り付けられる。このシールもまた、不透過性材料から作製される。操作の際に、液体が、この細片収集システムに導入される。次いで、外科手術用道具がこのシステムに導入されなければならない。その後、このシステム内で渦を発生させ、細片をこの外科手術用道具から除去する。
【００３４】
（要旨）
本開示により、細片収集システムが提供され、この細片収集システムは、細長本体を備え、この細長本体は、第一の端部、第二の端部、およびこの細長本体を通って延びる穴を有する。この細長本体の第一の端部は、密封状態で閉じられ、一方で、第二の端部は開口部を有する。この細長本体は、キャップに固定され、不透過性材料から作製される。
【００３５】
このキャップは、このキャップを通って延びる穴を有する。このキャップの穴は、外科手術用道具を受容するための寸法にされる。細長本体に流体を導入するためのポートが、このキャップに取り付けられる。このポートは、開位置と閉位置との間で相対的に移動可能であり得る。このポートに加えて、シールが、このキャップに取り付けられる。このシールは、ガスケットであっても、当該分野において公知である他の任意の適切な液密シールであってもよく、そして不透過性材料から構成される。このシステムは、流体サンプルを細長本体から取り出すためのポートを備え得る。
【００３６】
操作の間、液体が、この細片収集システムに導入される。次いで、外科手術用道具がこのシステムに挿入される。細片をこの道具から除去するために、この細片収集システムの細長本体の内部で、渦が発生させられる。この渦は、多数の方法で発生させられ得る。例えば、気体が、外部の供給源から細片収集システムに送達され得る。この気体の送達は、細長本体内に混濁した流れを生じさせ、これによって、細片を外科手術用道具から除去する。
【００３７】
本開示のステープルカートリッジの細片収集システムの実施形態が、添付の図面を参照して、本明細書中に記載される。
【発明の効果】
【００３８】
本発明により、細片を医療用器具から除去するための、効率的かつ安価なデバイス、システムおよび方法が提供される。
【発明を実施するための最良の形態】
【００３９】
（図面の詳細な説明）
本開示の実施形態が、ここで、図面を参照しながら詳細に記載される。図面において、類似の参照番号は、類似の要素または同じ要素を識別する。図面および以下の説明において、用語「近位」とは、慣例的であるように、ステープルカートリッジの細片収集システムの、操作者に最も近い端部をいい、一方で、用語「遠位」とは、この収集システムの、操作者から最も遠い端部をいう。
【００４０】
本開示は、外科手術用ステープル留め装置または他の任意の適切な医療用器具の道具から細片を除去するための、細片収集システムに関する。図１〜図２を参照すると、本開示の実施形態に従う細片収集システムが、一般に１００として表される。
【００４１】
図１〜図２に見られるように、細片収集システム１００は、細長本体１１０およびこの細長本体に取り付けられたキャップ１２０を備える。細長本体１１０は、近位端１１２、遠位端１１４、およびこの細長本体を通って延びる穴１１６（図５を参照のこと）を有する。穴１１６は、外科手術用ステープル留め器具の外科手術用道具を受容するように適合され、そのための寸法にされる。外科手術用ステープル留め器具にかかわらず、当業者は、穴１１６が任意の適切な医療用デバイスを受容するように構成され得ることを理解する。細長本体１１０の遠位端１１４は、密封状態で閉じられ、一方で、細長本体１１０の近位端１１２は、開口部１１３（図４を参照のこと）を有する。細長本体１１０は、不透過性材料から作製され、その結果、流体は、開口部１１３を通ってのみ、細長本体１１０に出入りし得る。図面は、実質的に円錐の形状を有する遠位端１１４を図示するが、遠位端１１４は、任意の適切な形状を有し得ることが予測される。細長本体１１０の近位開口部１１３は、キャップ１２０を通って延びる穴１２７と実質的に整列する（図４を参照のこと）。
【００４２】
キャップ１２０は、細長本体１１０の近位端１１２に取り外し可能に固定され、そして近位端１２２、遠位端１２４、およびアクセスポート１３０を受容するための穴１２７を備える。キャップ１２０の遠位端１２４は、細長本体１１０の近位端１１２に固定される。さらに、キャップ１２０は、使用者の指を受容するためのくぼみ１２１を、キャップの外周に有する。細片収集システム１００の１つの実施形態は、キャップ１２０の取り扱いを容易にするために、キャップ１２０の外側表面に配置された少なくとも１つのフック１２５を備える。
【００４３】
１つの実施形態において、使用者は、自分の指をくぼみ１２１に配置してキャップ１２０を回転させることによって、細長本体１１２にキャップ１２０を固定し得る。この実施形態は、ねじ切りされた外壁を有する細長本体１１０の近位端１１２と、同様にねじ切りされた内壁を有するキャップ１２０の遠位端１２４とを備える。これらのねじ切りされた壁は、操作の間、互いに係合して、キャップ１２０を細長本体１１０に固定するか、またはキャップ１２０を細長本体１１０から取り外す。具体的には、使用者は、キャップ１２０を時計回りに回転させることによって、キャップ１２０を細長本体１１０に固定し得る。次に、使用者はまた、キャップ１２０を反時計回りに回転させることによって、キャップ１２０を細長本体１１０から緩めるか、または分離し得る。他の実施形態において、このキャップは、差込手段、スナップばめ手段、または他の手段によって、この細長本体に取り外し可能に接続される。
【００４４】
図３〜図４を参照すると、キャップ１２０は、アクセスポート１３０を受容するように適合された開口部分１２３を備える。アクセスポート１３０は、少なくとも１つの開口部１３２を通して、外部の供給源１４０（図５を参照のこと）と細長本体１１０との間に流体連絡を提供する。さらに、アクセスポート１３０は、開位置と閉位置との間で相対的に移動可能である。アクセスポート１３０がその開位置にある場合、流体は、外部の供給源１４０と細長本体１１０との間で自由に移動し得る。逆に、外部の供給源１４０および細長本体１１０は、アクセスポート１３０がその閉位置にある場合、互いに流体連絡しない。
【００４５】
１つの実施形態において、使用者は、アクセスポート１３０を回転させて、開位置と閉位置との間を切り替え得る。この実施形態のアクセスポート１３０は、アクセスポート１３０の回転を容易にするための突出部１３１を備える。突出部１３１は、アクセスポート１３０の本体１３０ａから外向きに延びる。
【００４６】
液密シール１１８が、キャップ１２０の近位端１２２に配置される。シール１１８は、外科手術用ステープル留め器具または他の任意の適切な医療用器具の外科手術用道具を受容するための開口部１１８ａを備える。さらに、シール１１８は、ガスケットであっても、当該分野において公知である他の任意の適切な液密シールであってもよい。不透過性材料が、シール１１８を構築するために使用されて、液体が細片収集システム１００から逃れることを防止し得る。
【００４７】
操作において、使用者は、所望の組織媒体、滅菌流体、抗菌剤または当該分野において公知である他の任意の適切な流体を、アクセスポート１３０を通して細長本体１１０に注入するかまたは注ぐ。管１４２または他の伝導手段を使用して、所望の流体を外部の供給源１４０からアクセスポート１３０へと輸送し得る。次いで、ステープラーヘッド、ステープラーカートリッジ、または外科手術用道具２００が、図５に示されるように、キャップ１２０の穴１２７を通して細片収集システム１００に挿入される。その後、使用者は、挿入した道具２００から細片を効果的に除去するために、細長本体１１０の内部に渦を発生させなければならない。この渦は、空気または他の任意の適切な気体を細長本体１１０に吹き込むことによって、発生し得る。さらに、または代替的に、このシステムは、機械で攪拌され得る。装置（例えば、外部の供給源１４０）が、細長本体１１０に気体を提供し、そして細長本体の内部で渦を発生させるために使用され得る。細長本体１１０内への気体の送達は、細長本体１１０の内部に混濁した流れを生じさせる。一旦、細片が外科手術用道具２００から除去されると、使用者は、外科手術用道具２００を細片収集システム１００から取り出し得、そして外科手術用道具２００を覆って標準的なキャップを配置し得る。
【００４８】
種々の改変が、本開示の細編集集システムの実施形態に対してなされ得ることが理解される。従って、上記説明は、限定として解釈されるべきではなく、単に実施形態の例示として解釈されるべきである。当業者は、本開示の範囲および精神の範囲内で他の改変を予測する。
【図面の簡単な説明】
【００４９】
【図１】図１は、本開示の実施形態に従って構築された、ステープルカートリッジの細片収集システムの斜視図である。
【図２】図２は、図１のステープルカートリッジの細片収集システムの斜視図である。
【図３】図３は、図１〜図２のステープルカートリッジの細片収集システムの斜視図である。
【図４】図４は、図１〜図３のステープルカートリッジの細片収集システムの斜視図である。
【図５】図５は、図１〜図４のステープルカートリッジの細片収集システムの側面立面図であり、このシステムの内部に配置された外科手術用道具、およびこのシステムに取り付けられた流体源を備える。
【符号の説明】
【００５０】
１００  細片収集システム
１１０  細長本体
１２０  キャップ
１１２  近位端
１１４  遠位端
１１６  穴
１１３  開口部
１２７  穴
【図１】
2008253755.tif 000003
【図２】
2008253755.tif 000004
【図３】
2008253755.tif 000005
【図４】
2008253755.tif 000006
【図５】
2008253755.tif 000007